(57)【要約】【課題】ユーザの手間を増やすことなく、ユーザによる照明装置の使用履歴に応じた照明態様を実現する。【解決手段】照明制御装置および照明制御システムは、情報受信部と、統計処理部と、推奨パターン生成部と、を具備する。情報受信部は、電気機器の使用状況に関する情報を受信する。統計処理部は、情報受信部が受信した情報を統計処理する。推奨パターン生成部は、統計処理部の処理結果にもとづき、電気機器の使用に関する推奨パターンを生成する。【選択図】図１
2014186938.tif 000002
【特許請求の範囲】
【請求項１】
電気機器の使用状況に関する情報を受信する情報受信部と；
前記情報受信部が受信した情報を統計処理する統計処理部と；
前記統計処理部の処理結果にもとづき、前記電気機器の使用に関する推奨パターンを生成する推奨パターン生成部と；
を具備する照明制御装置。
【請求項２】
前記推奨パターン生成部が生成した推奨パターンを、前記電気機器を使用するユーザに提示する推奨パターン提示部をさらに具備する請求項１に記載の照明制御装置。
【請求項３】
前記推奨パターン提示部は、複数の推奨パターンを提示し、
前記ユーザによる推奨パターンの選択を受け付けるパターン受付部をさらに具備する請求項２に記載の照明制御装置。
【請求項４】
前記パターン受付部は、前記ユーザによる推奨パターンの修正をさらに受け付ける請求項３に記載の照明制御装置。
【請求項５】
前記推奨パターン生成部が生成した推奨パターンに基づき、前記電気機器を制御する推奨パターン実行部をさらに具備する請求項１に記載の照明制御装置。
【請求項６】
前記推奨パターン実行部は、前記電気機器がオンになった場合、前記推奨パターン生成部が生成した推奨パターンに基づく制御を自動的に実行する請求項５に記載の照明制御装置。
【請求項７】
前記推奨パターン実行部は、前記推奨パターンに基づく制御を開始した後に、当該推奨パターンの修正指示を受信すると、当該修正指示に基づき修正した推奨パターンに基づく制御を継続して実行する請求項６に記載の照明制御装置。
【請求項８】
複数のユーザを識別するためのユーザ識別情報と、当該複数のユーザ識別情報によって識別される各ユーザが使用する１以上の電気機器と、を対応づけて記憶するユーザ情報記憶部をさらに具備し、
前記情報受信部は、前記複数のユーザが使用する１以上の電気機器の使用状況に関する情報を受信し、
前記統計処理部は、前記複数のユーザが使用する１以上の電気機器の使用状況を統計処理し、
前記推奨パターン生成部は、前記複数のユーザ各々に対する推奨パターンを生成する請求項１から７のいずれか１項に記載の照明制御装置。
【請求項９】
前記電気機器の少なくとも一つは照明機器であり、
前記推奨パターン生成部は、前記推奨パターンとして、当該照明機器が射出する光の調光率および色温度を設定したパターンを生成する請求項１から８のいずれか１項に記載の照明制御装置。
【請求項１０】
複数の電気機器と；
請求項１から９のいずれか１項に記載の照明制御装置と；
前記複数の電気機器を制御するための指示を送信する端末装置と；
を具備する照明制御システム。
【発明の詳細な説明】
【技術分野】
【０００１】
本発明の実施形態は、照明制御装置および照明制御システムに関する。
【背景技術】
【０００２】
近年、複数の照明装置を一元的に管理制御するシステムが提案されている。たとえば、一般家屋内の照明をネットワークによって管理装置と接続し、管理装置から個々の照明の点灯、消灯、調光等の制御を行うことができるシステムが提案されている。
【０００３】
また、ネットワークを介して管理装置を宅外のサーバに接続し、サーバから管理装置へ照明装置の制御指示を送信できるように構成したシステムも提案されている。この場合、ユーザは、宅外から端末装置を使用してサーバへアクセスし、サーバに制御指示を送信することで、宅外から宅内の照明装置を制御することができる。照明装置のみならず、エアコンディショナーや給湯器などの家庭内の電気機器も同様に制御することができる。
【０００４】
また、照明装置等の宅内の電気機器の使用状況に関する情報を、管理装置を介して宅外のサーバへ送信し、電力消費の節減等のために利用するシステムも提案されている。
【先行技術文献】
【特許文献】
【０００５】
【特許文献１】特開２００３−６８４７５号公報
【非特許文献】
【０００６】
【非特許文献１】東芝ライテック株式会社  FEMINITY  （集合住宅用）（戸建用）ホームＩＴシステム、[retrieved  on  2013-03-20].  Retrieved  from  the  Internet:  <URL:  http://feminity.toshiba.co.jp/feminity/about/index.html>
【発明の概要】
【発明が解決しようとする課題】
【０００７】
本発明が解決しようとする課題は、ユーザの手間を増やすことなく、心地よい照明態様を実現することができる照明制御装置および照明制御システムを提供することである。
【課題を解決するための手段】
【０００８】
実施形態にかかる照明制御装置および照明制御システムは、電気機器の使用状況に関する情報を受信する情報受信部と、情報受信部が受信した情報を統計処理する統計処理部と、統計処理部の処理結果にもとづき、電気機器の使用に関する推奨パターンを生成する推奨パターン生成部と、を具備する。
【発明の効果】
【０００９】
本発明の一側面にかかる照明制御装置および照明制御システムは、ユーザの手間を増やすことなく、ユーザによる照明装置の使用履歴に応じた照明態様を実現することができるという効果を奏する。
【図面の簡単な説明】
【００１０】
【図１】図１は、第１の実施形態に係る照明制御システムの構成の一例を示す図である。
【図２】図２は、第１の実施形態に係る照明制御システムにおいて生成される統計情報の一例が端末装置に送信され表示される態様を示す図である。
【図３】図３は、第１の実施形態に係る照明制御システムにおいて生成される統計情報の他の例が端末装置に送信され表示される態様を示す図である。
【図４】図４は、第１の実施形態に係る照明制御システムにおいて生成される推奨パターンの一例が端末装置に送信され表示される態様を示す図である。
【図５】図５は、第１の実施形態に係る照明制御システムが具備するサーバの構成の一例を示す図である。
【図６】図６は、ユーザ情報記憶部に記憶される情報の一例を示す図である。
【図７】図７は、履歴記憶部に記憶される情報の一例を示す図である。
【図８】図８は、統計情報記憶部に記憶される情報の一例を示す図である。
【図９】図９は、推奨パターン記憶部に記憶される情報の一例を示す図である。
【図１０】図１０は、第１の実施形態に係る照明制御システムが具備する制御装置の構成の一例を示す図である。
【図１１】図１１は、第１の実施形態に係る照明制御システムが具備する端末装置の構成の一例を示す図である。
【図１２】図１２は、識別情報記憶部に記憶される情報の一例を示す図である。
【図１３】図１３は、推奨パターン生成処理の流れの一例を示すフローチャートである。
【図１４】図１４は、推奨パターン提示、選択、修正処理の流れの一例を示すフローチャートである。
【図１５】図１５は、第２の実施形態に係る照明制御システムが具備する端末装置の構成の一例を示す図である。
【図１６】図１６は、第２の実施形態に係る照明装置制御処理の流れの一例を示すフローチャートである。
【発明を実施するための形態】
【００１１】
実施形態の照明制御装置は、電気機器の使用状況に関する情報を受信する情報受信部と、情報受信部が受信した情報を統計処理する統計処理部と、統計処理部の処理結果にもとづき、電気機器の使用に関する推奨パターンを生成する推奨パターン生成部と、を具備する。
【００１２】
また、実施形態の照明制御装置は、推奨パターン生成部が生成した推奨パターンを、電気機器を使用するユーザに提示する推奨パターン提示部をさらに具備してもよい。
【００１３】
また、実施形態の照明制御装置が具備する前記推奨パターン提示部は、複数の推奨パターンを提示し、ユーザによる推奨パターンの選択を受け付けるパターン受付部をさらに具備してもよい。
【００１４】
また、実施形態の照明制御装置が具備するパターン受付部は、ユーザによる推奨パターンの修正をさらに受け付けてもよい。
【００１５】
また、実施形態の照明制御装置は、推奨パターン生成部が生成した推奨パターンに基づき、電気機器を制御する推奨パターン実行部をさらに具備してもよい。
【００１６】
また、実施形態の照明制御装置が具備する推奨パターン実行部は、電気機器がオンになった場合、推奨パターン生成部が生成した推奨パターンに基づく制御を自動的に実行してもよい。
【００１７】
また、実施形態の照明制御装置が具備する推奨パターン実行部は、推奨パターンに基づく制御を開始した後に、推奨パターンの修正指示を受信すると、当該修正指示に基づき修正した推奨パターンに基づく制御を継続して実行してもよい。
【００１８】
また、実施形態の照明制御装置は、複数のユーザを識別するためのユーザ識別情報と、当該複数のユーザ識別情報によって識別される各ユーザが使用する１以上の電気機器と、を対応づけて記憶するユーザ情報記憶部をさらに具備し、情報受信部は、複数のユーザが使用する１以上の電気機器の使用状況に関する情報を受信し、統計処理部は、複数のユーザが使用する１以上の電気機器の使用状況を統計処理し、推奨パターン生成部は、複数のユーザ各々に対する推奨パターンを生成してもよい。
【００１９】
また、実施形態の照明制御装置において、電気機器の少なくとも一つは照明機器であり、推奨パターン生成部は、推奨パターンとして、照明機器が射出する光の調光率および色温度を設定したパターンを生成してもよい。
【００２０】
実施形態の照明制御システムは、複数の電気機器と、上記のような照明制御装置と、複数の電気機器を制御するための指示を送信する端末装置と、を具備する。
【００２１】
以下に、本発明にかかる照明制御装置及び照明制御システムの実施形態を図面に基づいて詳細に説明する。実施形態において同一の機能を有する構成には同一の符号を付し、重複する説明を省略する。
【００２２】
(第１の実施形態)
図１は、第１の実施形態に係る照明制御システム１の構成の一例を示す図である。図１を参照し、第１の実施形態に係る照明制御システム１の一例につき説明する。
【００２３】
［照明制御システム１の構成の一例］
照明制御システム１は、サーバ１０と、ネットワーク２０を介してサーバ１０に接続される制御装置３０Ａと、制御装置３０Ａによって制御される電気機器４１Ａ，４１Ｂ，４１Ｃと、端末装置５０と、を具備する。制御装置３０Ａおよび電気機器４１Ａ，４１Ｂ，４１Ｃは、一般家屋である宅Ａ内に配置される。
【００２４】
さらにサーバ１０には、制御装置３０Ｂと、制御装置３０Ｂによって制御される電気機器４１Ｂ，４２Ｂ，４３Ｂと、がネットワーク２０を介して接続される。制御装置３０Ｂおよび電気機器４１Ｂ，４２Ｂ，４３Ｂは、一般家屋である宅Ｂ内に配置される。
【００２５】
さらにサーバ１０には、制御装置３０Ｃと、制御装置３０Ｃによって制御される電気機器４１Ｃ，４２Ｃ，４３Ｃと、がネットワーク２０を介して接続される。制御装置３０Ｃおよび電気機器４１Ｃ，４２Ｃ，４３Ｃは、一般家屋である宅Ｃ内に配置される。
【００２６】
なお、以下制御装置３０Ａ，３０Ｂ，３０Ｃを相互に区別する必要がない場合は、制御装置３０と呼ぶ。図１には、サーバ１０とネットワーク２０を介して接続される制御装置は３つ示す。ただし、本発明はこれに限定されず、サーバ１０とネットワーク２０を介して接続される制御装置の数は４以上であってもよい。
【００２７】
また、図１には、各宅内に３つの電気機器を示すが、本発明はこれに限定されず、任意の数の電気機器が各宅内に配置されてよい。
【００２８】
サーバ１０はたとえば、ＨＥＭＳ（Home  Energy  Management  System）の処理を実行する管理サーバである。すなわち、サーバ１０は、ＨＥＭＳを利用する各家屋から電気機器の使用状況に関する情報を受信し、管理するサーバである。
【００２９】
ネットワーク２０はたとえば、インターネット等である。ネットワーク２０は、各宅Ａ，Ｂ，Ｃとサーバ１０との間で情報の送受信を実行し、端末装置等がアクセスできるものであれば特に限定されない。たとえば、ＬＡＮ（Local  Area  Network）やＷＡＮ（Wide  Area  Network）等、任意のネットワークをネットワーク２０として使用できる。
【００３０】
制御装置３０Ａ，３０Ｂ，３０Ｃはそれぞれ、宅Ａ，Ｂ，Ｃ内の電気機器を制御し、電気機器の情報を収集する装置である。たとえば、ＨＥＭＳの処理のために各家屋に配置されるハブが制御装置３０Ａ，３０Ｂ，３０Ｃに該当する。制御装置３０Ａ，３０Ｂ，３０Ｃは、それ自体がサーバ１０と独立した制御機能を持つように構成してもよい。また、制御装置３０Ａ，３０Ｂ，３０Ｃは、自律した制御機能は持たないように構成して、専らサーバ１０からの指示信号を受信して電気機器に信号を中継するものとしてもよい。
【００３１】
電気機器４１Ａ〜４１Ｃ，４２Ａ〜４２Ｃ，４３Ａ〜４３Ｃはそれぞれ、一般家屋内に配置される電気製品である。たとえば、エアコンディショナー、給湯器、照明装置、インターホンなどが電気機器４１Ａ〜４１Ｃ，４２Ａ〜４２Ｃ，４３Ａ〜４３Ｃに該当する。なお、以下特に区別する必要がない場合は、電気機器４１Ａ，４１Ｂ，４１Ｃをまとめて電気機器４１と称する。また、電気機器４２Ａ，４２Ｂ，４２Ｃをまとめて電気機器４２と称する。また、電気機器４３Ａ，４３Ｂ，４３Ｃをまとめて電気機器４３と称する。
【００３２】
電気機器４１Ａ〜４１Ｃ，４２Ａ〜４２Ｃ，４３Ａ〜４３Ｃの使用状況に関する情報は逐次または定期的に制御装置３０Ａ，３０Ｂ，３０Ｃに送信される。そして、情報はさらに、制御装置３０Ａ，３０Ｂ，３０Ｃからネットワーク２０を介してサーバ１０に送信される。
【００３３】
端末装置５０はたとえば、携帯電話、スマートフォン、ＰＤＡ（Personal  Digital  Assistant）その他のタブレット端末などである。端末装置５０は、無線、Ｗｉ−Ｆｉ等による通信機能を有し、ネットワーク２０を経由してサーバ１０にアクセスできるものであれば特に限定されない。また、宅内でのみ端末装置５０を利用する場合は、ネットワーク２０へのアクセス機能は備えず、制御装置３０Ａ，３０Ｂ，３０Ｃとの通信機能のみ有するように構成してもよい。ユーザは、端末装置５０を操作することで、各電気機器の制御を実現する。
【００３４】
［サーバ１０による統計情報の生成］
サーバ１０は、ネットワーク２０および制御装置３０Ａ，３０Ｂ，３０Ｃを介して一般家屋である宅Ａ，Ｂ，Ｃ内に配置された電気機器の使用状況に関する情報を受信する。たとえば、サーバ１０は、エアコンディショナーである電気機器４１Ａがオンになった時刻や、オン状態が持続した時間などの情報を受信する。また、サーバ１０は、照明装置である電気機器４１Ｂがオンになった時刻やオフになった時刻に関する情報を受信する。また、サーバ１０は、照明装置である電気機器４１Ｂの調光率に関する情報や、色温度に関する情報を受信する。
【００３５】
サーバ１０は、受信した情報を統計処理して統計情報を生成する。図２は、第１の実施形態に係る照明制御システム１において生成される統計情報の一例が端末装置に送信され表示される態様を示す図である。また、図３は、第１の実施形態に係る照明制御システム１において生成される統計情報の他の例が端末装置に送信され表示される態様を示す図である。
【００３６】
図２に示すように、サーバ１０はたとえば、宅Ａ内の照明装置である電気機器４２Ａについて、夏季（６〜９月）の使用割合（％）と使用時の色温度に関する統計情報を生成する。図２に示すように、電気機器４２Ａは、中程度の色温度で使用されている割合が最も高く、高い色温度または低い色温度での使用率は低い。また、冬季（１１〜２月）は、低い色温度での使用割合が高く、高い色温度での使用割合は低い。このようにサーバ１０は、電気機器４２Ａの使用状況に関する情報を受信して、統計処理をすることにより、宅Ａにおけるユーザの電気機器４２Ａの使用傾向を示す統計情報を算出する。
【００３７】
また、サーバ１０は、宅Ａ，Ｂ，Ｃから受信した情報をまとめて統計処理することにより、管理対象である電気機器全体の使用傾向を示す統計情報を算出する。たとえば、図３に示すように、サーバ１０は、宅Ａにおける照明装置の使用状況に関する情報から、宅Ａにおける平均点灯時間を算出する。また、サーバ１０は、宅Ａ，Ｂ，Ｃにおける照明装置の使用状況に関する情報から、宅Ａ，Ｂ，Ｃ全体における照明装置の平均点灯時間を算出する。図１では、サーバ１０に電気機器の使用状況に関する情報を送信する家屋は宅Ａ，Ｂ，Ｃの３つのみであるが、たとえば、一つの都市内の一般家屋すべてからサーバ１０が情報を受信するように構成すれば、１都市全体の照明装置の平均点灯時間が算出できる。
【００３８】
このようにして、サーバ１０はたとえば、図３に示すように、一つの家屋における照明装置の平均点灯時間「８時間４５分」を算出する。また、サーバ１０は、図３に示すように、一つの市全体における照明装置の平均点灯時間「７時間３０分」を算出する。
【００３９】
［サーバ１０による推奨パターンの生成］
そして、サーバ１０は、統計処理によって得た各家屋における電気機器の使用傾向を示す統計情報に基づき、各家屋のユーザに対して推奨する電気機器の使用パターンを示す推奨パターンを作成する。
【００４０】
図４は、第１の実施形態に係る照明制御システム１において生成される推奨パターンの一例が端末装置に送信され表示される態様を示す図である。図４に示す例では、サーバ１０は、推奨パターンとして、照明装置の調光率と色温度を指定するパターンを生成する。すなわち、サーバ１０は、「調光率７０％・色温度４５００Ｋ」を推奨パターンとして生成する。
【００４１】
統計情報に基づく推奨パターンの生成には種々の態様が考えられる。たとえば、家庭ごと、ユーザごと、地域ごと、都市ごとに、データを収集して統計をとることができる。また、時間帯ごと、日ごと、曜日ごと、週ごと、月ごと、季節ごとに統計をとることができる。たとえば、各家庭における照明装置の点灯時間の長さの平均値を、季節ごとに算出することができる。また、各家庭においてユーザが最も頻繁に使用する照明装置の調光率を算出することができる。また、都市全体における照明装置の点灯時間の長さの平均値を算出することができる。この場合、たとえば、月曜日の平均値、１月の平均値などを算出することができる。
【００４２】
このようにして得た統計情報から、サーバ１０はたとえば、最も利用頻度が高いデータを推奨パターンとして採用する。たとえば、ユーザが照明装置を、調光率７０％、色温度５０００Ｋで使用する頻度がもっとも高ければ、調光率７０％、色温度５０００Ｋが推奨パターンとなる。
【００４３】
また、サーバ１０はたとえば、統計処理によって得た平均値を、推奨パターンとして採用することができる。たとえば、ある都市全体について得た照明装置の点灯時間の平均値が６時間である場合に、所定のユーザは点灯時間が８時間であれば、推奨パターンとして点灯時間６時間、を生成する。
【００４４】
また、サーバ１０はたとえば、統計処理によって得た最もエネルギー効率のよいデータを推奨パターンとして採用することもできる。
【００４５】
統計情報としてサーバ１０が参照するデータは、推奨パターンを生成する対象となるユーザのデータのみであってもよいし、地域全体、都市全体のデータであってもよい。また、所定の条件を満たすユーザについてのデータのみに基づく統計をとって、統計情報として採用してもよい。また、推奨パターンの提示先であるユーザ以外のユーザについての統計情報から得られる平均値または利用頻度が高い値を、当該ユーザに対する推奨パターンとしてもよい。また、たとえば、所定の家族構成のユーザを抽出して統計をとってもよい。また、所定の種類および大きさの部屋、たとえば、居間に配置された電気機器についてのみ統計をとってもよい。また、使用する電気機器の種類が類似するユーザや、家族構成が類似するユーザのみを抽出して統計をとってもよい。
【００４６】
このように、サーバ１０は、推奨パターンを作成する目的や推奨パターンの用途に応じて、統計情報として利用する情報を変更する。なお、サーバ１０はユーザから要求されたときに、すぐに統計情報を提示できるように、種々の設定で算出される複数の統計情報を予め生成しておく。そして、ユーザは必要に応じて統計情報を呼び出して、たとえば自分の電力消費傾向を知ることができる。
【００４７】
また、推奨パターンとして採用する数値は、統計情報として得られた利用頻度の高い値であってもよいし、平均値であってもよい。また、最大値、最小値、中央値（メジアン）、最頻値であってもよい。また、制御対象すなわち、制御対象とする電気機器の種類や、制御時期すなわち季節や時間に応じて、推奨パターンとして採用する数値の種類を変更するように設定してもよい。たとえば、秋は中央値、春は最頻値を採用するなどの多様な設定が可能である。
【００４８】
［サーバ１０の構成の一例］
次に、図５を参照して、サーバ１０の構成の一例につきさらに詳細に説明する。図５は、第１の実施形態に係る照明制御システム１が具備するサーバ１０の構成の一例を示す図である。
【００４９】
図５に示すように、サーバ１０は、通信部１１０と、制御部１２０と、記憶部１３０とを備える。通信部１１０は、サーバ１０と他の装置との間での通信を実現する。制御部１２０は、サーバ１０における情報の生成や生成した情報の送受信等を制御する。記憶部１３０は、サーバ１０における処理に使用する情報およびサーバ１０において生成された情報等を記憶する。
【００５０】
制御部１２０は、情報受信部１２１と、統計処理部１２２と、推奨パターン生成部１２３と、推奨パターン提示部１２４と、パターン受付部１２５と、推奨パターン実行部１２６と、を備える。
【００５１】
情報受信部１２１は、ネットワーク２０を介して制御装置３０Ａ，３０Ｂ，３０Ｃから各宅内の電気機器の使用状況に関する情報を受信する。情報受信部１２１が受信した情報は、履歴記憶部１３２（後述）に記憶される。
【００５２】
統計処理部１２２は、情報受信部１２１が受信した情報に対して統計処理を実行する。たとえば、統計処理部１２２は、情報受信部１２１が受信した各宅内の照明装置の点灯時間に関する情報に基づき、平均点灯時間を算出する。統計処理部１２２により生成される統計情報は、統計情報記憶部１３３（後述）に記憶される。
【００５３】
推奨パターン生成部１２３は、統計処理部１２２が生成した統計情報に基づき、各家屋に対して提示する推奨パターンを生成する。推奨パターン生成部１２３が生成した推奨パターンは、推奨パターン記憶部１３４（後述）に記憶される。
【００５４】
推奨パターン提示部１２４は、端末装置５０を介してユーザから要求を受信した場合等に、要求を送信したユーザに対応する推奨パターンを当該ユーザに提示する。具体的には、推奨パターン提示部１２４は、要求を送信した端末装置５０の表示部に表示できる形式の推奨パターンを、当該端末装置５０に送信する。
【００５５】
パターン受付部１２５は、端末装置５０からパターン設定要求を受信した場合に、当該パターン設定要求によって特定されるパターンを推奨パターンとして記憶部１３０に記憶する。たとえば、ユーザが複数の推奨パターンの一つを選択した場合や、提示された推奨パターンを修正した場合や、新しいパターンを自ら入力した場合に、パターン設定要求がパターン受付部１２５に送信される。
【００５６】
推奨パターン実行部１２６は、推奨パターン生成部１２３が生成した推奨パターンまたは、パターン受付部１２５が受信し記憶部１３０に記憶した推奨パターンに基づき、電気機器の制御を実行する。
【００５７】
［記憶部１３０に記憶される情報］
次に、さらに図５を参照して記憶部１３０に記憶される情報につき説明する。記憶部１３０は、ユーザ情報記憶部１３１と、履歴記憶部１３２と、統計情報記憶部１３３と、推奨パターン記憶部１３４と、を備える。
【００５８】
ユーザ情報記憶部１３１は、サーバ１０を利用して宅内の電気機器の情報を管理するユーザの情報を記憶する。図６は、ユーザ情報記憶部１３１に記憶される情報の一例を示す図である。
【００５９】
図６に示すように、ユーザ情報記憶部１３１は、ユーザを一意に特定するためのユーザＩＤ（Identifier）と、制御装置を一意に特定するための制御装置ＩＤと、を記憶する。さらに、ユーザ情報記憶部１３１は、各制御装置ＩＤに対応づけて、当該制御装置が管理対象とする電気機器を一意に特定する管理対象機器ＩＤを記憶する。たとえば、図６の例においては、ユーザＩＤ「００１」と制御装置ＩＤ「Ｍ０２１」とが対応付けて記憶されている。これは、ユーザＩＤ「００１」のユーザは、制御装置ＩＤ「Ｍ０２１」の制御装置によって電気機器を制御していることを示す。また、制御装置ＩＤ「Ｍ０２１」に対応づけて、管理対象機器ＩＤ「Ａ００１，Ｗ０３０，Ｌ０２０，Ｌ０２１，Ｌ０２２，Ｌ０２３，Ｌ０２４，Ｌ０２５」が記憶されている。これは制御装置ＩＤ「Ｍ０２１」の制御装置によって、管理対象機器ＩＤ「Ａ００１，Ｗ０３０，Ｌ０２０，Ｌ０２１，Ｌ０２２，Ｌ０２３，Ｌ０２４，Ｌ０２５」の電気機器が管理、制御されていることを示す。サーバ１０を利用するユーザの情報はユーザ情報記憶部１３１に記憶される。
【００６０】
履歴記憶部１３２は、各電器機器の使用状況の履歴を記憶する。図７は、履歴記憶部１３２に記憶される情報の一例を示す図である。
【００６１】
図７に示すように、履歴記憶部１３２は、ユーザＩＤおよび管理対象機器ＩＤに対応づけて、各電機機器の使用状況の履歴を記憶する。たとえば、図７の例では、ユーザＩＤ「００１」および管理対象機器ＩＤ「Ｌ０２０」に対応づけて、「オン・オフタイミング」として「２１時オン、２４時オフ」という情報が記憶されている。これは、管理対象機器ＩＤ「Ｌ０２０」で特定される電気機器が、２１時にオンされ、２４時にオフされたことを示す。なお、この情報に加えて、年月日等の情報も記憶する。また、「制御内容」として「調光率６０％、色温度４０００Ｋ」という情報が記憶されている。これは、管理対象機器ＩＤ「Ｌ０２０」の電気機器がオン時に、調光率６０％、色温度４０００Ｋであったことを示す。このように履歴記憶部１３２は、各電気機器が使用された場合に、その使用状況を履歴として記憶する。
【００６２】
統計情報記憶部１３３は、統計処理部１２２の処理によって生成された統計情報を記憶する。図８は、統計情報記憶部１３３に記憶される情報の一例を示す図である。
【００６３】
図８に示すように、統計情報記憶部１３３は、「項目」に対応付けて、「全体」としてサーバ１０の管理対象である全ての電気機器を平均した統計情報を記憶する。たとえば、図８の例では、項目「平均点灯時間（通年）」に対応付けて、全ての該当する電気機器の通年での平均点灯時間「６時間１５分」が記憶されている。また、「個別情報」として、ユーザＩＤ「００１」のユーザの使用する電気機器の通年での平均点灯時間である「７時間」が記憶されている。同様に、「平均点灯時間（冬季：１２月〜２月）」や「平均点灯時間（春季：３月〜５月）」、「平均点灯時間（夏季：６月〜８月）」、「平均点灯時間（秋季：９月〜１１月）」が記憶されている。また、項目「色温度（１月）」として、全ての該当する電気機器の点灯時色温度の１月における平均値「４５００Ｋ」が記憶されている。なお、「項目」はサーバ１０の管理者が適宜設定してもよく、デフォルトで設定されるものとしてもよい。また、「項目」として時間帯毎、日毎、曜日毎、週毎、月毎、季節毎等の平均値等を設定することができる。
【００６４】
推奨パターン記憶部１３４は、推奨パターン生成部１２３の処理の結果生成される推奨パターンを記憶する。図９は、推奨パターン記憶部１３４に記憶される情報の一例を示す図である。
【００６５】
図９に示すように、推奨パターン記憶部１３４は、「ユーザＩＤ」に対応付けて、たとえば、「１月」「２月」「３月」など月毎の推奨パターンを記憶する。図９の例では、ユーザＩＤ「００１」に対応付けて、１月の推奨パターン「調光率８０％、５０００Ｋ」が記憶されている。これは、ユーザＩＤ「００１」で特定されるユーザの電気機器（照明装置）については、１月は調光率８０％、色温度５０００Ｋとすることが推奨されることを示す。なお、図９の例では、ユーザＩＤごとに推奨パターンが設定されるものとしたが、ユーザＩＤおよび電気機器ＩＤに対応づけて推奨パターンを設定してもよいし、日毎、曜日毎など、異なる設定を採用してもよい。
【００６６】
［制御装置３０の構成の一例］
次に図１０を参照して、制御装置３０の構成の一例につき説明する。図１０は、第１の実施形態に係る照明制御システム１が具備する制御装置３０の構成の一例を示す図である。
【００６７】
図１０に示すように、制御装置３０は、通信部３１０と、制御部３２０と、記憶部３３０とを備える。通信部３１０は、ネットワーク２０に接続されてサーバ１０との間で通信を実現する。また、通信部３１０は、エコーネットライト（Echonet  Lite）等の宅内ネットワークに接続されて電気機器４１〜４３等との間での通信を実現する。
【００６８】
制御部３２０は、制御装置３０内での処理を制御する。制御部３２０は、要求処理部３２１と、選択・修正・設定受信部３２２と、推奨パターン受信部３２３と、推奨パターン実行部３２４と、を備える。
【００６９】
要求処理部３２１は、端末装置５０から入力されたユーザの要求を受信する。そして要求処理部３２１は、要求に応じて処理を実行する。たとえば、ユーザが入力した要求が統計情報要求であれば、要求処理部３２１は、当該統計情報要求をサーバ１０へ送信し、サーバ１０から統計情報を受信して端末装置５０へ送信する。統計情報要求とは、サーバ１０において生成された統計情報の送信を要求するものである。また、ユーザが入力した要求が推奨パターン表示要求であれば、要求処理部３２１は、当該推奨パターン表示要求に対応する推奨パターンが制御装置３０内に格納されているか否かを判断する。制御装置３０内に格納されている場合は、要求処理部３２１は、当該推奨パターンを読み出して、端末装置５０へ送信する。他方、制御装置３０内に推奨パターンが格納されていない場合は、要求処理部３２１は、当該推奨パターン表示要求をサーバ１０に送信する。そして要求処理部３２１は、該当する推奨パターンをサーバ１０から受信して端末装置５０へ送信する。
【００７０】
選択・修正・設定受信部３２２は、端末装置５０における推奨パターンの選択・修正・設定を受け付ける。たとえば、端末装置５０において表示された推奨パターンの中から特定の推奨パターンをユーザが選択した場合、選択・修正・設定受信部３２２は、当該選択を受け付ける。そして、選択・修正・設定受信部３２２は、選択された推奨パターンを記憶し（後述）、選択された推奨パターンの情報をサーバ１０に送信する。
【００７１】
また、選択・修正・設定受信部３２２は、端末装置５０においてユーザが推奨パターンを修正した場合、その修正内容を受け付ける。すなわち、選択・修正・設定受信部３２２は、修正された推奨パターンを記憶し（後述）、修正された推奨パターンの情報をサーバ１０に送信する。
【００７２】
また、選択・修正・設定受信部３２２は、端末装置５０においてユーザが推奨パターンとは異なる新たなパターンを設定した場合に、そのパターンを受け付ける。すなわち、選択・修正・設定受信部３２２は、新しいパターンを記憶し（後述）、当該新しいパターンの情報をサーバ１０に送信する。
【００７３】
推奨パターン受信部３２３は、サーバ１０から推奨パターンを定期的に受信し、記憶部３３０の推奨パターン記憶部３３１に格納される推奨パターンを更新する。推奨パターン記憶部３３１は、その時点で有効な推奨パターンを記憶する。
【００７４】
推奨パターン実行部３２４は、その時点で有効な推奨パターンに基づき電気機器の制御を実行する。
【００７５】
図１０の例では、制御装置３０がその時点で有効な推奨パターンを記憶するものとするが、本実施形態はこれに限定されず、推奨パターンを適用するときはその都度サーバ１０から推奨パターンを読み出すものとしてもよい。
【００７６】
推奨パターン記憶部３３１に記憶される推奨パターンは、選択・修正・設定受信部３２２における処理によって、推奨パターンが修正された場合や、新しいパターンが設定された場合には、その都度更新され、対応する情報がサーバ１０に送信される。
【００７７】
［端末装置５０の構成の一例］
次に図１１を参照し、端末装置５０の構成の一例につき説明する。図１１は、第１の実施形態に係る照明制御システム１が具備する端末装置５０の構成の一例を示す図である。
【００７８】
図１１に示すように、端末装置５０は、通信部５１０と、制御部５２０と、記憶部５３０と、表示部５４０と、を備える。通信部５１０は、端末装置５０と、制御装置３０、電気機器４１〜４３およびネットワーク２０との間での通信を実現する。
【００７９】
制御部５２０は、端末装置５０における処理を制御する。制御部５２０は、指示入力部５２１と、統計情報要求部５２２と、パターン要求部５２３と、パターン選択部５２４と、パターン修正部５２５と、パターン設定部５２６とを備える。
【００８０】
指示入力部５２１は、ユーザからの指示入力を受け付ける。たとえば、ユーザは端末装置５０上の表示部５４０に表示されるアイコンを選択することにより指示を入力する。指示入力とはたとえば、電気機器のオンやオフの指示の入力である。
【００８１】
統計情報要求部５２２は、ユーザからの統計情報要求を受け付ける。たとえば、ユーザは端末装置５０上の表示部５４０に表示されるアイコンを選択することにより統計情報の送信を要求する指示を入力する。統計情報要求部５２２は、ユーザからの統計情報要求を受け付けると、ネットワーク２０等を介してサーバ１０にアクセスし、統計情報の送信を要求する。要求に応じて、サーバ１０は該当する統計情報を端末装置５０に送信する。端末装置５０は受信した統計情報を表示部５４０に表示する。
【００８２】
パターン要求部５２３は、ユーザからの推奨パターン要求を受け付ける。たとえば、ユーザは端末装置５０上の表示部５４０に表示されるアイコンを選択することにより推奨パターンの送信を要求する指示を入力する。パターン要求部５２３は、ユーザからの推奨パターン要求を受け付けると、制御装置３０またはサーバ１０にアクセスして、該当する推奨パターンの送信を要求する。要求に応じて、制御装置３０またはサーバ１０は該当する推奨パターンを端末装置５０に送信する。端末装置５０は受信した推奨パターンを表示部５４０に表示する。
【００８３】
パターン選択部５２４は、ユーザからの推奨パターンの選択を受け付ける。たとえば、ユーザは端末装置５０上の表示部５４０に複数の推奨パターンが表示された場合に、その一つを選択することで、推奨パターンを選択する。パターン選択部５２４は、ユーザからの推奨パターンの選択を受け付けると、制御装置３０またはサーバ１０にアクセスして、選択された推奨パターンの情報を送信する。制御装置３０が定期的に推奨パターンをダウンロードして記憶する構成の場合は、選択された推奨パターンの情報が制御装置３０とサーバ１０との間で同期するよう構成する。
【００８４】
パターン選択部５２４により推奨パターンの選択が受け付けられ、サーバ１０および制御装置３０に選択された推奨パターンの情報が記憶されると、その後は選択された推奨パターンが制御に適用される。
【００８５】
パターン修正部５２５は、ユーザからの推奨パターンの修正を受け付ける。たとえば、ユーザは端末装置５０上の表示部５４０に表示される推奨パターンの一部を修正することができる。修正はたとえばドロップダウンメニューからの選択などで実現できる。パターン修正部５２５は、ユーザからの推奨パターンの修正を受け付けると、制御装置３０またはサーバ１０にアクセスして、修正された推奨パターンの情報を送信する。修正された推奨パターンの情報がサーバ１０および制御装置３０に記憶されると、その後は修正された推奨パターンが制御に適用される。
【００８６】
パターン設定部５２６は、ユーザからの制御パターンの設定を受け付ける。たとえば、ユーザは端末装置５０上の表示部５４０に表示される画面に所望の設定を入力することにより制御パターンを設定することができる。設定するパターンは推奨パターンと一部同一であってもよいし全く異なるパターンであってもよい。パターン設定部５２６が制御パターンの設定を受け付け、制御装置３０およびサーバ１０に設定された制御パターンが記憶されると、その後は設定された制御パターンが制御に適用される。
【００８７】
再び図１１を参照し、記憶部５３０につき説明する。記憶５３０は、識別情報記憶部５３１を備える。識別情報記憶部５３１は、端末装置５０とそのユーザを識別するための情報を記憶する。図１２は、識別情報記憶部５３１に記憶される情報の一例を示す図である。
【００８８】
図１２に示すように、識別情報記憶部５３１は、ユーザＩＤに対応づけて、端末装置５０を一意に特定するための装置ＩＤを記憶する。さらに、当該ユーザおよび端末装置５０の認証のためのパスワードを記憶してもよい。図１２の例では、ユーザＩＤ「００１」に対応付けて、装置ＩＤ「Ｍ０２３」、パスワード「2013023light」が記憶される。端末装置５０がサーバ１０または制御装置３０にアクセスする際には、自動的にこれらの識別情報を用いて認証処理が実行される。
【００８９】
表示部５４０は、たとえば、液晶画面等であり、推奨パターンや統計情報などが表示される。
【００９０】
［サーバ１０における推奨パターン生成処理の流れの一例］
次に図１３を参照し、サーバ１０における推奨パターン生成処理の流れの一例を説明する。図１３は、推奨パターン生成処理の流れの一例を示すフローチャートである。
【００９１】
図１３に示すように、サーバ１０の情報受信部１２１は、制御装置３０を介して各電気機器の使用状況に関する情報を受信する（ステップＳ１３０１）。情報受信部１２１が情報を受信すると、統計処理部１２２は、受信した情報に対して統計処理を実行する（ステップＳ１３０２）。そして、統計情報が生成されると、生成された統計情報に基づき、各ユーザに対する推奨パターンを生成する（ステップＳ１３０３）。これで推奨パターン生成処理は終了する。
【００９２】
［推奨パターン提示、選択、修正処理の流れの一例］
次に、図１４を参照して、推奨パターン提示、選択、修正処理について説明する。図１４は、推奨パターン提示、選択、修正処理の流れの一例を示すフローチャートである。
【００９３】
まず、端末装置５０においてユーザの推奨パターン要求が受け付けられる。推奨パターン要求を受け付けた端末装置５０は、当該推奨パターン要求をサーバ１０または制御装置３０に送信する（ステップＳ１４０１）。サーバ１０または制御装置３０は、要求に応じて、端末装置５０に対して推奨パターンを送信する。推奨パターンを受信した端末装置５０は、表示部５４０上に推奨パターンを表示する。ユーザは、表示部５４０から、所望の推奨パターンを選択するか、または推奨パターンを修正する（ステップＳ１４０２）。これに応じてサーバ１０のパターン受付部１２５または制御装置３０の選択・修正・設定受信部３２２は、選択された推奨パターンまたは修正された推奨パターンを受け付けてそれぞれの記憶部に記憶する（ステップＳ１４０３）。その後、サーバ１０または制御装置３０は、選択された推奨パターンまたは修正された推奨パターンに基づき制御を実行する（ステップＳ１４０４）。これで、推奨パターン提示、選択、修正処理が終了する。
【００９４】
［第１の実施形態の効果］
上記のように、第１の実施形態に係る照明制御装置は、電気機器の使用状況に関する情報を受信する情報受信部と、情報受信部が受信した情報を統計処理する統計処理部と、統計処理部の処理結果にもとづき、電気機器の使用に関する推奨パターンを生成する推奨パターン生成部と、を具備する。このため、ユーザによる電気機器の使用履歴に基づいてユーザに適した推奨パターンを作成することができる。
【００９５】
また、第１の実施形態に係る照明制御装置によれば、ユーザは提示された推奨パターンを確認して、複数の推奨パターンがある場合は好みの推奨パターンを選択することができる。また、ユーザは、選択した推奨パターンに基づく制御を実行させることができ、容易な操作によって、自分の好みに適合した電気機器の制御を実現することができる。
【００９６】
［第２の実施形態］
上記第１の実施形態に係る照明制御システム１では、ユーザが推奨パターンの提示を要求し提示された推奨パターンに対して選択や修正を実行できるものとした。これに対して、第２の実施形態では、ユーザ側は推奨パターンを意識することなく、自動的に推奨パターンが適用される。
【００９７】
［第２の実施形態に係る端末装置５０Ａの構成の一例］
第２の実施形態に係る照明制御システムは、端末装置５０Ａを備える以外は、第１の実施形態に係る照明制御システム１と同様である。そのため、共通する構成要素についての説明は省略する。
【００９８】
図１５は、第２の実施形態に係る照明制御システムが具備する端末装置５０Ａの構成の一例を示す図である。図１５に示すように、端末装置５０Ａは、通信部５１０と、制御部５２０Ａと、記憶部５３０と、を備える。通信部５１０および記憶部５３０の機能は第１の実施形態と同様である。
【００９９】
制御部５２０Ａは、指示入力部５２１と、統計情報要求部５２２と、修正入力部５２７とを備える。指示入力部５２１および統計情報要求部５２２の機能は第１の実施形態と同様である。第２の実施形態の端末装置５０Ａは、第１の実施形態の端末装置５０とは、修正入力部５２７を備える点で相違する。
【０１００】
第２の実施形態の端末装置５０Ａにおいては、ユーザが端末装置５０Ａから電気機器をオンにする指示入力を実行した場合、サーバ１０または制御装置３０により、当該電気機器に対して自動的に推奨パターンが適用される。たとえば、推奨パターンが「調光率７０％、色温度４５００Ｋ」であれば、特にユーザに通知することなく、オンの指示入力に対応して、「調光率７０％、色温度４５００Ｋ」の光が点灯する。このため、ユーザは特に推奨パターンが適用されているか否かを意識することがない。
【０１０１】
ユーザは推奨パターンに基づく点灯状態に満足できない場合は、端末装置５０の修正入力部５２７から修正指示を入力する。たとえば、「調光率６０％、色温度５０００Ｋ」等の指示を入力する。すると、修正入力部５２７は、修正指示を受け付けて制御装置３０へ送信する。制御装置３０の選択・修正・設定受信部３２２は自動的に修正された内容のパターンを推奨パターンとして記憶し、以後の制御においては記憶したパターンを使用する。サーバ１０のパターン受付部１２５も同様に処理を実行する。すなわち、パターン受付部１２５は、修正された内容のパターンを推奨パターンとして推奨パターン記憶部１３４に記憶し、以後の制御においては記憶したパターンを使用する。
【０１０２】
［第２の実施形態に係る照明装置制御処理の流れの一例］
図１６は、第２の実施形態に係る照明装置制御処理の流れの一例を示すフローチャートである。図１６を参照して、第２の実施形態における照明装置制御処理についてさらに説明する。
【０１０３】
まず、ユーザは端末装置５０Ａを使って宅内の電気機器をオンにする（ステップＳ１６０１）。電気機器がオンにされたことを検出したサーバ１０側では、推奨パターンに基づき自動制御を実行する（ステップＳ１６０２）。端末装置５０Ａでは、自動制御の開始に応じて制御内容の変更が必要か否かを問い合わせる画面を表示する（ステップＳ１６０３）。ユーザが変更不要と判断し、その旨の入力を行った場合（ステップＳ１６０３、否定）、そのまま推奨パターンに基づく制御が継続し、照明装置制御処理は終了する。他方、ユーザが変更要と判断した場合（ステップＳ１６０３、肯定）、ユーザは端末装置５０Ａの表示部５４０上で修正指示を入力する（ステップＳ１６０４）。修正指示を受け付けた端末装置５０Ａは、修正内容をサーバ１０へ送信する（ステップＳ１６０５）。サーバ１０は修正内容を記憶し（ステップＳ１６０６）、修正した内容での制御を開始する（ステップＳ１６０７）。これで、照明装置制御処理が終了する。
【０１０４】
なお、ステップＳ１６０５における修正内容の送信は、制御装置３０に対して行い、制御装置３０からサーバ１０に通知するものとしてもよい。また、制御装置３０を介さず直接サーバ１０に対してネットワーク２０を介して通知し、サーバ１０から制御装置３０に通知するようにしてもよい。また、ステップＳ１６０６において記憶する修正内容は、元の推奨パターンとそれに対する修正内容とを記憶するよう構成してもよいし、修正されるごとに前の推奨パターンは削除するものとしてもよい。
【０１０５】
［第２の実施形態の効果］
このように第２の実施形態では、ユーザ側に推奨パターンを提示せず、推奨パターンに基づく制御開始後のユーザの入力に応じて推奨パターンを修正する。このため、ユーザは推奨パターンについて意識することがない。またユーザは推奨パターンの選択、修正などを意識的に実行する必要がない。このため、ユーザの手間を増やすことなく、ユーザによる過去の電気機器の使用履歴に応じた推奨パターンを採用して、電気機器を制御することができる。また、ユーザは特に推奨パターンを意識することなく、通常の制御処理を実行することで推奨パターンの更新が可能であるため、ユーザの利便性の向上に資することができる。
【０１０６】
［変形例］
なお、本発明は上記実施形態に限定されず、任意の変形が可能である。たとえば、電気機器としてテレビ、エアコンディショナー、照明装置等を制御する場合は、異なる電機機器を連動させた形で制御を実行してもよい。たとえば、ユーザがテレビを見るときは照明装置を暗くするという傾向が統計処理によって得られれば、テレビがオンになると照明装置の照度を下げる等の制御を実行してもよい。また、たとえば、照明装置の色温度とエアコンディショナーの設定温度を連動させる等の制御を実行してもよい。また、複数種類の電気機器から使用状況に関する情報を収集して統計処理しつつ、推奨パターンによる制御対象とする電気機器は１種類のみ、たとえば照明装置のみとしてもよい。
【０１０７】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０８】
１  照明制御システム
１０  サーバ
２０  ネットワーク
３０，３０Ａ，３０Ｂ，３０Ｃ  制御装置
４１Ａ〜４１Ｃ，４２Ａ〜４２Ｃ，４３Ａ〜４３Ｃ  電気機器
５０，５０Ａ  端末装置
１１０  通信部
１２０  制御部
１２１  情報受信部
１２２  統計処理部
１２３  推奨パターン生成部
１２４  推奨パターン提示部
１２５  パターン受付部
１２６  推奨パターン実行部
１３０  記憶部
１３１  ユーザ情報記憶部
１３２  履歴記憶部
１３３  統計情報記憶部
１３４  推奨パターン記憶部
３１０  通信部
３２０  制御部
３２１  要求処理部
３２２  選択・修正・設定受信部
３２３  推奨パターン受信部
３２４  推奨パターン実行部
３３０  記憶部
３３１  推奨パターン記憶部
５１０  通信部
５２０  制御部
５２１  指示入力部
５２２  統計情報要求部
５２３  パターン要求部
５２４  パターン選択部
５２５  パターン修正部
５２６  パターン設定部
５２７  修正入力部
５３０  記憶部
５３１  識別情報記憶部
５４０  表示部
【図１】
2014186938.tif 000003
【図２】
2014186938.tif 000004
【図３】
2014186938.tif 000005
【図４】
2014186938.tif 000006
【図５】
2014186938.tif 000007
【図６】
2014186938.tif 000008
【図７】
2014186938.tif 000009
【図８】
2014186938.tif 000010
【図９】
2014186938.tif 000011
【図１０】
2014186938.tif 000012
【図１１】
2014186938.tif 000013
【図１２】
2014186938.tif 000014
【図１３】
2014186938.tif 000015
【図１４】
2014186938.tif 000016
【図１５】
2014186938.tif 000017
【図１６】
2014186938.tif 000018